(57)【要約】【課題】荷物を載せていない複数の空の台車を安定した状態で簡単に積み重ねることができるキャスター付台車を提供すること。【解決手段】矩形状の台板１１の下面四隅部にそれぞれ車輪支持ブラケット１５を垂直軸１８を中心に旋回自在に取り付け、且つ該車輪支持ブラケット１５に車軸１６を中心に回転自在に支持された車輪１３を具備するキャスター付台車において、台板１１上面の四隅部に該台板１１上面にキャスター付台車を積み重ねた場合それぞれ車輪１３の一部が入り込む円形状穴１４を設け、該円形状穴１４の中心は、台板１１の辺方向又は対角線方向に対向する垂直軸を結ぶ線上で該垂直軸中心から対向方向又は反対向方向に所定寸法離れた位置にある。【選択図】      図１
2005001565.tif 000002
【特許請求の範囲】
【請求項１】
矩形状の台板下面の四隅部にそれぞれ車輪支持ブラケットを垂直軸を中心に旋回自在に取り付け、且つ該車輪支持ブラケットに車軸を中心に回転自在に支持された車輪を具備するキャスター付台車において、
前記台板上面の四隅部に該台板上面に前記キャスター付台車を積み重ねた場合それぞれ車輪の一部が入り込む円形状穴を設けたことを特徴とするキャスター付台車。
【請求項２】
請求項１に記載のキャスター付台車において、
前記台板上面の四隅部に設けた円形状穴の中心は、該台板の辺方向又は対角線方向に対向する前記垂直軸を結ぶ線上で該垂直軸中心から対向方向又は反対向方向に所定寸法離れた位置にあることを特徴とするキャスター付台車。
【請求項３】
請求項１又は２に記載のキャスター付台車において、
前記円形状穴の径は前記車輪の径より小さいことを特徴とするキャスター付台車。
【請求項４】
請求項１乃至３のいずれか１項に記載のキャスター付台車において、
前記円形状穴は有底穴であることを特徴とするキャスター付台車。
【発明の詳細な説明】
【０００１】
【発明の属する技術分野】
本発明は、キャスター付台車に関し、特に同じ構成寸法の複数の台車を簡単に安定した状態で積み重ねることができるキャスター付台車に関するものである。
【０００２】
【従来の技術】
従来、矩形状の台板の下面四隅部に垂直軸を中心に旋回自在に取り付けた車輪支持ブラケットに車輪を回転自在に取り付けた構造のキャスター付台車がある。このキャスター付台車は台板上に荷物を載せた状態で容易に移動させることができるという点で便利であるが、台板上に荷物を載せていない場合、即ちキャスター付台車が空の場合、キャスターが付いているため安定した状態で自由に積み重ねることができず、積み重ねるため種々の工夫や治具等を必要とするという問題がある。
【０００３】
また、積み重ねることができるキャスター付台車としては、特許文献１に記載されたキャスター付台車がある。このキャスター付台車は、台車面上にキャスターの車輪径よりも若干大きい径の円周を持つ断面形状で、自在キャスターの車軸の回転中心を円中心、車軸の回転半径を半径とした円溝を持つものである。
【０００４】
上記特許文献１に記載のキャスター付台車は、上記のように台車上面に円溝を有するため、キャスター付台車上面に他のキャスター付台車を載せると、該載せた台車の車輪が円溝に収まるから、複数の空のキャスター付台車を積み重ねることができるが、台車上面に載ったキャスター付台車の車輪は円環状の円溝の任意の位置に収まるから、上に位置するキャスター付台車の台板が下に位置するキャスター付台車の台板と同一姿勢に収まらず一方に偏る場合がある。そのためキャスター付台車の台車を積み重ねた場合、全体が斜めに傾くことがある。また、円溝の断面形状が車輪径よりも若干大きい径の円周を有するため、該円溝に納められた車輪が小さい外力で円溝から離脱するという問題があった。
【０００５】
【特許文献１】
特開平１１−１３９３２０号公報
【０００６】
【発明が解決しようとする課題】
本発明は上述の点に鑑みてなされたもので、上記問題点を除去し、荷物を載せていない複数の空の台車を安定した状態で簡単に積み重ねることができるキャスター付台車を提供することを目的とする。
【０００７】
【課題を解決するための手段】
上記課題を解決するため、請求項１に記載の発明は、矩形状の台板下面の四隅部にそれぞれ車輪支持ブラケットを垂直軸を中心に旋回自在に取り付け、且つ該車輪支持ブラケットに車軸を中心に回転自在に支持された車輪を具備するキャスター付台車において、台板上面の四隅部に該台板上面にキャスター付台車を積み重ねた場合それぞれ車輪の一部が入り込む円形状穴を設けたことを特徴とする。
【０００８】
上記のように台板上面の四隅部に該台板上面にキャスター付台車を積み重ねた場合それぞれ車輪の一部が入り込む円形状穴を設けたので、キャスター付台車を積み重ねた場合、下に位置するキャスター付台車の台板上の四隅部に設けた穴の夫々に上に位置するキャスター付台車の車輪を挿入して積み重ねることにより、複数の台車を安定した状態で積み重ねることができる。
【０００９】
請求項２に記載の発明は、請求項１に記載のキャスター付台車において、台板上面の四隅部に設けた円形状穴の中心は、該台板の辺方向又は対角線方向に対向する垂直軸を結ぶ線上で該垂直軸中心から対向方向又は反対向方向に所定寸法離れた位置にあることを特徴とする。
【００１０】
上記のように台板上面の四隅部に設けた円形状穴の中心を矩形状台板の辺方向又は対角線方向で対向する垂直軸を結ぶ線上で該垂直軸中心から対向方向又は反対向方向に所定寸法離れた位置とすることにより、積み重ねたキャスター付台車の対向するキャスターの車輪の間隔が最小又は最大の状態となるから、上に位置するキャスター付台車は下に位置するキャスター付台車に同一の姿勢でしっかりと固定されることになる。
【００１１】
請求項３に記載の発明は、請求項１又は２に記載のキャスター付台車において、円形状穴の径は車輪の径より小さいことを特徴とする。
【００１２】
上記のように台板の四隅部に設けた円形状穴の径を車輪の径より小さくすることにより、車輪の一部が円形状穴に隙間無く挿入されるので、台車を積み重ねた場合、上に位置する台車が下に位置する台車に対してがたつくことなく、安定した状態で積み重ねられる。
【００１３】
請求項４に記載の発明は、請求項１乃至３のいずれか１項に記載のキャスター付台車において、円形状穴は有底穴であることを特徴とする。
【００１４】
上記のように台板の四隅部に設けた円形状穴を有底穴とすることにより、重ねられた台車の荷重を円形状穴の底部で支持することになり、積み重ねた台車の荷重を車輪で安定した状態で支持することができる。
【００１５】
【発明の実施の形態】
以下、本発明の実施の形態例を図面に基づいて説明する。図１は本発明のキャスター付台車の構成を示す図であり、図１（ａ）は平面図、図１（ｂ）は右側面図、図１（ｃ）は正面図である。図示するように、本キャスター付台車１０は矩形状の台板１１を具備し、該台板１１の下面四隅部にそれぞれキャスター１２を取り付けた構造で、台板１１の上面四隅部に台板１１の上面に重ねるキャスター付台車１０の車輪１３が入り込む円形状穴１４が設けられている。
【００１６】
台板１１の下面四隅部に取り付けるキャスター１２は図２に示すように垂直軸１８を中心に旋回自在（水平方向に回転自在）に取り付けた車輪支持ブラケット１５を有し、該車輪支持ブラケット１５には車輪１３が車軸１６を中心に回転自在に支持されている。車軸１６の回転中心の水平方向位置と垂直軸１８の水平方向位置の間隔寸法はＡである。また、キャスター１２の車輪支持ブラケット１５及び車輪１３が図１に示すように台板１１の長辺１１ａ方向に対向して配置された垂直軸１８、１８を結ぶ直線Ｌ１上に位置する場合、円形状穴１４の中心１７と車軸１６の回転中心の水平方向位置は一致している。即ち、円形状穴１４は垂直軸１８、１８を結ぶ直線Ｌ１上で、該垂直軸１８、１８から上記寸法Ａだけ対向方向（内側）に離れた位置に中心１７を有する円形状穴である。また、円形状穴１４の径Ｂが車輪１３の径Ｃより所定寸法小さく（Ｂ＜Ｃ）なっている。
【００１７】
台板１１は図３（ａ）に平面（上面）を、図３（ｂ）に右側面、図３（ｃ）に裏面（下面）を示すように、１枚の上板１１−１と２枚の下板１１−２を具備し、下板１１−２の長辺寸法は上板１１−１の長辺１１ａの寸法と同じで、下板１１−２の短辺寸法は上板１１−１の短辺１１ｂの寸法より小さく（約１／４）となっている。図示するように、上板１１−１の下面両側部に下板１１−２を貼り付け固定して、台板１１を構成する。キャスター１２は台板１１の下面四隅部に当る２枚の下板１１−２、１１−２の両端部下面に取り付けられている。４個の円形状穴１４は上板１１−１の四隅部に設けられそれぞれ底部は下板１１−２、１１−２で閉塞されている。即ち、各円形状穴１４は有底の穴となっている。
【００１８】
上記構造のキャスター付台車において、あるキャスター付台車１０の台板１１の上面に同じ構造寸法の他のキャスター付台車を重ねる場合、下に位置するキャスター付台車１０の台板１１の四隅部に設けた４個の円形状穴１４のそれぞれに上に位置するキャスター付台車１０の車輪１３を挿入して重ねる。即ち、図４に示すように、下に位置するキャスター付台車１０の台板１１の上板１１−１に設けた円形状穴１４内に上に位置するキャスター付台車１０のキャスター１２の車輪１３の一部が挿入された状態となる。そして上記のように円形状穴１４の径Ｂが車輪１３の径Ｃより所定寸法小さく（Ｂ＜Ｃ）なっているから、車輪１３外周と円形状穴１４の内周の間に隙間は発生しない。また、車輪１３の下部は円形状穴１４の底となっている下板１１−２で支持される。従って、上に位置するキャスター付台車１０は下に位置するキャスター付台車１０に対してがたつくことがない。
【００１９】
このとき上記のように円形状穴１４の中心１７は台板１１の長辺１１ａ方向の垂直軸１８、１８を結ぶ直線上で、該垂直軸１８、１８から寸法Ａだけ対向方向（内側）に離れた位置にあるから、対向するキャスター１２、１２の車輪１３と車輪１３の間隔は最短状態となる。従って、上に位置するキャスター１２は下に位置するキャスター１２に固定された状態となる。
【００２０】
なお、上記例では円形状穴１４を台板１１の長辺１１ａ方向（側）の垂直軸１８、１８を結ぶ直線Ｌ１（図１参照）上で、該垂直軸１８、１８から対向方向（内側）に寸法Ａだけ離れた位置に中心を有する円形状穴とした。これによりキャスター付台車１０を積み重ねる場合、下になるキャスター付台車１０の一方短辺１１ｂ側の円形状穴１４、１４に上になるキャスター付台車１０の一方短辺１１ｂ側のキャスター１２、１２の車輪１３、１３を挿入した状態で、該キャスター付台車１０を斜めに立てると他方短辺１１ｂ側のキャスター１２、１２の車輪１３、１３は自重により旋回し、直線Ｌ１上に位置するから、上のキャスター付台車１０をそのまま下のキャスター付台車１０の上に重ねることで、上のキャスター付台車１０の他方短辺１１ｂ側のキャスター１２、１２の車輪１３、１３も下のキャスター付台車１０の他方短辺１１ｂ側の円形状穴１４、１４に挿入されることになり、積み重ねが極めて容易となる。
【００２１】
また、円形状穴１４の中心１７は台板１１の短辺１１ｂ方向の垂直軸１８、１８を結ぶ直線Ｌ２（図５参照）上で、該垂直軸１８、１８から寸法Ａだけ対向方向（内側）に離れた位置に中心１７を有する円形状穴としても上記と同様、積み重ねが極めて容易となる。また、積み重ねは若干不便であるが、円形状穴１４を長辺１１ａ側の垂直軸１８、１８を結ぶ直線Ｌ１上で垂直軸１８、１８から反対向方向（外側）に寸法Ａ離れた位置に中心１７を有する円形状穴としてもよいし、短辺１１ｂ側の垂直軸１８、１８を結ぶ直線Ｌ２上で、該垂直軸１８、１８から寸法Ａだけ反対向方向（外側）に離れた位置に中心１７を有する円形状穴としてもよい。
【００２２】
また、円形状穴１４は図５に示すように台板１１の対角線方向の垂直軸１８、１８を結ぶ直線Ｌ３上で、該垂直軸１８、１８から寸法Ａだけ対向方向（内側）に離れた位置に中心１７を有す円形状穴としてもよい。このように円形状穴１４の中心１７の位置を対角線方向の垂直軸１８、１８を結ぶ直線Ｌ３上の対向方向とすることにより、上に位置するキャスター１２は下に位置するキャスター１２に対して更にしっかりと固定される。なお、円形状穴１４の中心１７は直線Ｌ３上の垂直軸１８、１８より寸法Ａだけ反対向方向（外側）に離れた位置にとしてもよい。
【００２３】
上記キャスター付台車の台板１１を構成する上板１１−１、下板１１−２の材料に本実施形態では木材を用いたが、木材に限定されるものでないことは当然であり、例えばプラスチックでもよい。この場合は上板１１−１と下板１１−２は一体に構成される。また、台板１１の形状構成も上記形状に限定されるものではない。
【００２４】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造や材質であっても、本願発明の作用・効果を奏する以上、本願発明の技術的思想の範囲内である。
【００２５】
【発明の効果】
以上説明したように各請求項に記載の発明によれば、下記のような優れた効果が得られる。
【００２６】
請求項１に記載の発明によれば、台板上面の四隅部に該台板上面にキャスター付台車を積み重ねた場合それぞれ車輪の一部が入り込む円形状穴を設けたので、該台板上面の四隅部に設けた穴の夫々に積み重ねようとするキャスター付台車の車輪を挿入して積み重ねることにより、複数の台車を安定した状態で積み重ねることができるキャスター付台車を提供できる。
【００２７】
請求項２に記載の発明によれば、台板上面の四隅部に設けた円形状穴の中心位置を台板の辺方向又は対角線方向に対向する垂直軸を結ぶ線上で該垂直軸中心から対向方向又は反対向方向に所定寸法離れた位置とすることにより、積み重ねられたキャスター付台車の対向する車輪の間隔が最小又は最大の状態となるから、上に位置するキャスター付台車は下に位置するキャスター付台車に同一の姿勢でしっかりと固定されることになる。従って、複数の台車をより安定した状態で積み重ねることができるキャスター付台車を提供できる。
【００２８】
請求項３に記載の発明によれば、台板の四隅部に設けた円形状穴の径を車輪の径より小さくすることにより、車輪の一部が円形状穴に隙間無く挿入されるので、台車を積み重ねた場合、上に位置する台車が下に位置する台車に対してがたつくことがないから、複数の台車を安定した状態で積み重ねることができるキャスター付台車を提供できる。
【００２９】
請求項４に記載の発明によれば、台板の四隅部に設けた円形状穴を有底穴とすることにより、重ねられた台車の荷重を円形状穴の底部で支持することになり、積み重ねた台車の荷重を車輪で支持することができ、複数の台車を安定した状態で積み重ねることができるキャスター付台車を提供できる。
【図面の簡単な説明】
【図１】本発明に係るキャスター付台車の構成を示す図で、図１（ａ）は平面図、図１（ｂ）は右側面図、図１（ｃ）は正面図である。
【図２】本発明に係るキャスター付台車の端部の構成を示す図である。
【図３】本発明に係るキャスター付台車の端部の構成を示す図で、図３（ａ）は平面（上面）図、図３（ｂ）は右側面図、図３（ｃ）は裏面（下面）図である。
【図４】本発明に係るキャスター付台車を積み重ねた状態の端部を示す図である。
【図５】本発明に係るキャスター付台車の台板の平面図である。
【符号の説明】
１０            キャスター付台車
１１            台板
１２            キャスター
１３            車輪
１４            円形状穴
１５            車輪支持ブラケット
１６            車軸
１７            中心
１８            垂直軸
【図１】
2005001565.tif 000003
【図２】
2005001565.tif 000004
【図３】
2005001565.tif 000005
【図４】
2005001565.tif 000006
【図５】
2005001565.tif 000007